(57)【要約】【課題】  石板を床板の一部として利用し、特に居室等の床における防音、防振効果を高め、更に床表面を従来の床材であるフローリングとすることによってその歩行感触、温もり感等を向上させ、居室の床材として最適な石貼り床構造を提供する。【解決手段】  コンクリートスラブ上に空間を介して上部床を支持し、該上部床に捨て貼り石層を設ける形式の石貼り床構造であって、防振システムネダと支持脚とによって支持されるパーティクルボードと、該パーティクルボードの上に積層される合板層と、該合板上に固定される捨て貼り石板及び捨て貼り合板からなる捨て貼り石層と、更にその上に固定されるフローリングとからなる。そして、床暖房パネルは捨て貼り石層とフローリングとの間に敷設される。【選択図】      図１
2005113604.tif 000002
【特許請求の範囲】
【請求項１】
コンクリートスラブ上に空間を介して上部床を支持し、該上部床に捨て貼り石層を設ける形式の石貼り床構造であって、防振システムネダと支持脚とによって支持されるパーティクルボードと、該パーティクルボードの上に積層される合板層と、該合板上に固定される捨て貼り石板及び捨て貼り合板からなる捨て貼り石層と、更にその上に固定されるフローリングとからなることを特徴とする石貼り床構造。
【請求項２】
請求項１に記載の石貼り床構造において、上記捨て貼り石層と上記フローリングとの間に、床暖房パネルが敷設されていることを特徴とする石貼り床構造。
【請求項３】
請求項１又は２に記載の石貼り床構造であって、上記合板層は２枚の合板を重ねたものであることを特徴とする石貼り床構造。
【請求項４】
請求項１〜３のいずれかに記載の石貼り床構造であって、上記フローリングは上記捨て貼り合板に固定されることを特徴とする石貼り床構造。
【請求項５】
請求項１〜４のいずれかに記載の石貼り床構造であって、上記捨て貼り石層は、複数の長尺の捨て貼り合板と、これらの捨て貼り合板によって両側面を挾持された状態に貼り着けられた多数の方形石板から構成されていることを特徴とする石貼り床構造。
【請求項６】
請求項５に記載の石貼り床構造であって、上記長尺の捨て貼り合板の幅は約１００ｍｍであることを特徴とする石貼り床構造。
【請求項７】
請求項５に記載の石貼り床構造であって、上記方形石板は一辺が約４００ｍｍの正方形状であることを特徴とする石貼り床構造。
【請求項８】
上記請求項１〜７のいずれかに記載の石貼り床構造であって、上記捨て貼り合板の厚さは上記石板の厚さよりも約３ｍｍ厚いものであることを特徴とする石貼り床構造。
【請求項９】
請求項１〜８のいずれかに記載の石貼り床構造であって、仕切り壁部分の下部には上記長尺の捨て貼り合板が位置することを特徴とする石貼り床構造。
【請求項１０】
請求項１〜８のいずれかに記載の石貼り床構造であって、石板の規定寸法に満たない部分には必要形状にカットされた捨て貼り合板が設けられていることを特徴とする石貼り床構造。
【請求項１１】
コンクリートスラブ上に空間を介して上部床を支持し、該上部床に捨て貼り石層を設ける形式の石貼り床構造であって、防振システムネダと支持脚とによって支持されるパーティクルボードと、該パーティクルボードの上に積層される合板層と、該合板上に固定される捨て貼り石板及び捨て貼り合板からなる捨て貼り石層と、更にその上に固定されるフローリングとからなることを特徴とする石貼り床構造の施工方法であって、上記捨て貼り石層は、先ず長尺の捨て貼り合板を上記合板上に固定し、これに隣接して多数の石板を順次一列に貼り着け、続いて第２の長尺の捨て貼り合板を該石板の列に接して固定し、この作業を繰り返して行うことを特徴とすることを特徴とする石貼り床構造の施工方法。
【発明の詳細な説明】
【技術分野】
【０００１】
この発明は、石板を床基礎上に敷設して防音、防振効果を向上させる形式の石貼り床構造及びその施工方法に係り、特に、石板の上層にフローリングを施し、防音効果と共に歩行感触、装飾性等を向上させた床構造及びその施工方法に関する。
【背景技術】
【０００２】
従来よりコンクリート建物の床部に石板を敷設することは行われている。
この場合、一般的には天然石からなる石板を用いて石自体による美観を向上させたり、タイル等を用いて装飾性を向上させるものであって、このために、石板やタイルは床表面に敷設されるものである。
【０００３】
図６に示す石板の床貼り施工方法は、このような従来公知の石貼り床の一例を示している。
同図について説明すると、石板の床貼り施工がなされた床の一部を示す図６において、床の基礎を構成するコンクリート基礎１の適宜部分には、予め木製又は樹脂製の板２が埋設されている。そして、該埋設木材部分に対して、後述するメジジョイナー３が釘、ビスなどによって固定される。また、メジジョイナー３の先端は上記木板２等に挿入するためのくさび形の挿入部３ａを有している。
【０００４】
全ての位置にメジジョイナー３が立てられた後、基礎１上にモルタル４を入れ、その上に石板５を載せてモルタル４と密着させる。この場合、石板５の寸法は２本のメジジョイナー３，３の間隔と略一致したものであり、該メジジョイナー３の上下にはストッパー３ｂ及び受け３ｃを設けて、モルタル４の密着性と石板５の水平を確保している。
なお、該図６に示すものは、この様な構造の寸法一定の石板パネルとして形成されたものを示している。
【特許文献１】特開平１０−８８７７６号公報
【特許文献２】特開平  ６−３３５７５号公報
【発明の開示】
【発明が解決しようとする課題】
【０００５】
従来公知の石板を利用した床構造は上記の例以外にも多数あるが、いずれの公知例においても、床の表面部分に石板が貼り付けられるものであって、石材自体の装飾性は生かされるものの、通常の居室等には不向きであった。
と言うのも、石板自体が床表面を構成するために歩行感触が悪く、温かみがなく、居室の床材として不向きであると共に、石板表面を美しく研摩するなどしてその装飾性を向上させるために手間が掛る等の欠点があった。
更に、公知の床貼り施工方法にあっては、規定寸法の石板を正確に多数貼り着けるために熟練した技術が必要であり、その施工に多大の時間を要する等の欠点があった。
【０００６】
この発明は、石板を床板の一部として利用し、特に居室等の床における防音、防振効果を高め、更に床表面を従来の床材であるフローリングとすることによってその歩行感触、温もり感等を向上させ、居室の床材として最適な石貼り床構造を提供するものである。
また、従来の石板貼り着け作業に比べて作業が簡単であり、しかも床表面材であるフローリングの固定が極めて容易な石貼り床の施工方法を提供するものである。
【課題を解決するための手段】
【０００７】
この発明の床構造は、コンクリートスラブ上に空間を介して上部床を支持し、該上部床に捨て貼り石層を設ける形式の石貼り床構造であって、防振システムネダと支持脚とによって支持されるパーティクルボードと、該パーティクルボードの上に積層される合板層と、該合板上に固定される捨て貼り石板及び捨て貼り合板からなる捨て貼り石層と、更にその上に固定されるフローリングとからなることを特徴とする。そして、床暖房パネルは捨て貼り石層とフローリングとの間に敷設される。
上記合板層は２枚の合板を重ねたものであり、上記フローリングは上記捨て貼り合板に固定され、上記捨て貼り石層は、複数の長尺の捨て貼り合板と、これらの捨て貼り合板によって両側面を挾持された状態に貼り着けられた多数の方形石板から構成されている。
また、上記長尺の捨て貼り合板の幅は約１００ｍｍとし、上記方形石板は一辺が約４００ｍｍの正方形状とし、上記捨て貼り合板の厚さは上記石板の厚さよりも約３ｍｍ厚いものとすることができる。
更に、仕切り壁部分の下部には上記長尺の捨て貼り合板が位置し、石板の規定寸法に満たない部分には必要形状にカットされた捨て貼り合板が設けられる。
この発明の施工方法は、コンクリートスラブ上に空間を介して上部床を支持し、該上部床に捨て貼り石層を設ける形式の石貼り床構造であって、防振システムネダと支持脚とによって支持されるパーティクルボードと、該パーティクルボードの上に積層される合板層と、該合板上に固定される捨て貼り石板及び捨て貼り合板からなる捨て貼り石層と、更にその上に固定されるフローリングとからなることを特徴とする石貼り床構造の施工方法であって、上記捨て貼り石層は、先ず長尺の捨て貼り合板を上記合板上に固定し、これに隣接して多数の石板を順次一列に貼り着け、続いて第２の長尺の捨て貼り合板を該石板の列に接して固定し、この作業を繰り返して行うことを特徴とすることを特徴とする。
【発明の効果】
【０００８】
この発明に係る石貼り床構造は、コンクリートスラブと上部床との間に空間を有し、上部床に捨て貼り石層を有しているので、該上部床の表面材であるフローリングと相俟って防振・防音効果に優れた床構造であると共に、居室の床構造として温もり感に富むものである。そして、仕切り壁位置又は捨て貼り石の石板寸法に満たない位置では、石板に代えて捨て貼り合板を用いることによって床構造を簡素化できる。
また、石板の上部にはフローリングが施されているので、歩行時の感触も良好である。
更に、床暖房を施す場合には上記捨て貼り石層の上部に面ヒータ等を設置できるので、床の感触、美感等を損なうことなく簡単に設置することができる。
この発明に係る石貼り床構造の施工方法によれば、長尺の捨て貼り合板と方形の石板の列を交互に敷設するので、石板の敷き詰め作業が極めて簡単で、作業効率が良い。
そして、先に固定された長尺の捨て貼り合板の表面に合わせて、各石板の表面高さを調節しながら石板の敷き詰め作業ができるので、面合わせが極めて簡単に作業できる。
また、同様に石板の列と捨て貼り合板とを交互に配置しているので、フローリングの設置固定が極めて簡単である。
【発明を実施するための最良の形態】
【０００９】
この発明の実施の形態を図１〜図５により説明する。
図１はこの発明の一つの実施形態に係る床構造の断面図であって、基本的に従来公知の二重床構造を基礎とするものである。建物躯体の一部を構成するコンクリートスラブ１０に対して防振システムネダ１１及び支持脚１２を用いて、この発明の一つの特徴的構成を含む上部床２０を床空間１３を介して支持する形式である。
【００１０】
そして、防振システムネダ１１及び支持脚１５の概略構造を説明すると次の通りである。
先ず、防振システムネダ１１は後述するように、上部床２０の下層パネルであるパーティクルボード２１を、防振システムネダ１１のネダ部１２及び支持脚１３上の支持板１６により高さ調節自在に支持するものである。この場合、通常の床板支持のためのネダ位置に上記ネダ１２を配置し、このネダ１２を防振ゴム台１４によってボルト・ナットを介して高さ調節自在に、コンクリートスラブ１０表面に装着支持するものである。
【００１１】
また、隣接する各下層パネルであるパーティクルボード２１，２１の接続部分には、同じくパーティクルボードからなる支持板１６を介在させ、該支持板１６を支持脚１５により支持する形式である。
この場合の支持脚１５も同様に、防振ゴム台１７によりボルト・ナットを介して、上記支持板１６を高さ調節自在に支持すると共に、接着剤によって該防振ゴム台１７がコンクリートスラブ１０上に接着固定される。
【００１２】
この発明の特徴的構造を有する上部床２０は、下層の上記パーティクルボード２１と、その上層に２板の合板２２，２２とを有し、更にその上層に後述する捨て貼り石層２３、フローリング２４を有するものである。
なお、図中の符号３０は上部床２０の敷設後に施工される壁部材であり、同じく３１は幅木を示している。
【００１３】
この様な石貼り床構造における各構成材の実施例は、例えばパーティクルボード２１の厚さを２０ｍｍ、合板２２，２２の厚さを夫々１２ｍｍ、捨て貼り石層２３の厚さを１５ｍｍ、フローリング２４の厚さを１２ｍｍとしている。合板２２と捨て貼り石層２３との間には約３ｍｍの接着剤層２５が設けられている。
【００１４】
図２は、この発明の他の実施形態に係る床部分の断面図であって、床構造の基本的構成は図１と同様であるが、この発明においては床暖房のための例えば面ヒータ等からなる床暖房パネル２６が敷設されている。この様な床暖房パネル２６自体は公知のものであって、例えば厚さが９ｍｍ又は１２ｍｍの面ヒータであっても良い。
【００１５】
図３は、上記図１に示す石貼り床構造において、捨て貼り石層２３の施工状態を示す説明図である。
該図３は捨て貼り石層２３部分の平面を示しており、捨て貼り石層を構成する多数の石板２７〜２７は、例えば４００ｍｍ×４００ｍｍの正方形石板であり、厚さは上述の１５ｍｍとしている。この様な各石板２７は、一般的に天然石をカットした状態のままであって、特に表面を研摩することなく使用される。
【００１６】
図中の符号２８は捨て貼り合板を示しており、その巾を１００ｍｍ以上とし、厚さは、例えば捨て貼り石の石板２７の厚さが１５ｍｍの場合には、１８ｍｍのものが用いられる。その理由は後に図４でも詳述するように、石板２７を合板２２上に接着剤を用いて固定する場合に、その捨て貼り石層２３の表面と該捨て貼り合板２８の表面とを面一にするためである。
【００１７】
図３に従って捨て貼り石層２３部分の施工手順を説明すると、例えば同図左側の長尺で厚さ１８ｍｍ、巾１００ｍｍの捨て貼り合板２８−１を、図１に示すように合板２２上に釘等で固定し、次に、例えば４００ｍｍ四方の多数の石板を２７−イ〜２７−ニの順に、該捨て貼り合板２８−１に接して敷き詰める。この場合、石板２７の下には約３ｍｍの接着剤が施されている。続いて、これらの石板２７−イ〜２７−ニに隣接して次の捨て貼り合板２８−２を、同様に釘等によって合板２２に固定すると共に、次列の石板２７−ホ〜２７−チを同様に敷き詰めるものである。
【００１８】
その後図１に示すように、捨て貼り合板２８と捨て貼り石層２３の石板２７が交互に敷設された捨て貼り石層の上部にフローリング２４が施工されるけれども、該フローリング２４の固定は、例えば釘等によって捨て貼り合板２８の表面に対して行われ、従来通常のフローリングの敷設と同様に、極めて容易に施工することができる。
【００１９】
図４は、この発明に係る石貼り床構造の他の部分における構成を示している。この発明に係る床構造にあっては、例えば間仕切り壁３３や側壁３０の取り付けが床部分の施工後に行われるけれども、該図４によってその施工手順を説明すると次の様である。
図において、コンクリートスラブ１０によって支持される上部床２０の上面には、その床の敷設後に間仕切り壁３３を設置するものとする。
【００２０】
この場合、図１と同様に上部床２０の最下層を構成するパーティクルボード２１の下面と上記コンクリートスラブ１０との間には、防振システムネダ１１が介装され、そのネダ部１２によって上部床２０を支持している。また同様に、パーティクルボード２１の上部に２枚の合板２２，２２が設けられ、その上部に捨て貼り石層２３が設けられる。
【００２１】
しかしながら、図４に示す床部分には間仕切り壁３３を設置する必要があり、そのために、該間仕切り壁３３が設置される部分の下方には、上述の捨て貼り合板２８が位置するごとく配置されている。この場合、間仕切り壁３３の設置位置と使用する石板２７の寸法との関係から、必要に応じて捨て貼り合板２８の巾を任意に設定することもできるし、予め石板の寸法を間仕切り壁位置に合わせることもできる。
【００２２】
この様にして間仕切り壁３３は、上部床２０のための防振システムネダ１１及びこれに支えられた合板２２，２２及び捨て貼り合板２８の上部に固定されるけれども、その設置手段は従来公知のランナー３４を用いて行われる。
すなわち、上記間仕切り壁３３の設置位置に予め設けられた捨て貼り合板２８にはランナー３４が固定され、該ランナー３４を用いて壁芯材３５が立設され、更に壁板３６，３６が施工される。なお、符号３１，３１は幅木である。
【００２３】
図５は、この発明の他の形態を示す説明図であって、実際の部屋の形状等に応じて、その床部分に捨て貼り石層を施す部分の形状が異形である部分での対応手段を説明している。図示の上部床２０の構造において、符号２０Ａに示す部分は捨て貼り石層を敷設する部分を示し、符号２０Ｂの部分は該捨て貼り石層を敷設しない部分を示すと共に、これら両部分の境界が、例えば側壁３０，３０又は石板２７〜２７の敷設方向に対して斜めに接している個所である。
【００２４】
この様な境界部分においては当然に、各石板２７〜２７の一辺と、石板を用いない部分の側辺が交叉するため、例えば該境界に接する石板の一部を斜めにカットする必要があると言う不具合が生ずる。このため、この発明にあっては図示のごとく、規定寸法の例えば上記４００ｍｍ×４００ｍｍの正方形石板２７〜２７と、形状は自由である異形の捨て貼り合板２９〜２９とを用いて、その形状変更のための加工が容易な捨て貼り合板２９〜２９を用いることによって、上記の不具合を解消している。
【００２５】
すなわち図５において、通常の捨て貼り石層２３を有する上記床部分２０Ａにおいては、例えば上述の長尺材からなる捨て貼り合板２８〜２８によって、上記石板２７〜２７を挟む状態に貼り付けると共に、上記石板の規定寸法に満たない部分には、当該部分の形状に合わせてカットされた捨て貼り合板２９〜２９を貼り付けるものである。この場合、該捨て貼り合板２９〜２９の厚さは上記通常の長尺材からなると捨て貼り合板２８と同一であるが、その平明形状は自由である。
【００２６】
上記のごときこの発明の実施形態にあっては、例えば石板２７として４００ｍｍ×４００ｍｍの正方形の天然石を用いているけれども、これらの材質、形状、寸法等は単なる実施例であり、例えば長方形状の石板２７を用いても良く、寸法、厚さ等も任意である。
また、石板のための接着剤も公知のものを自由に選択できるし、厚さ等も石板２７と捨て貼り合板２８，２９の厚さ関係で自由に変更できる。
【図面の簡単な説明】
【００２７】
【図１】この発明の一実施形態に係る床構造の断面図である。
【図２】この発明の他の実施形態に係る床構造の断面図である。
【図３】この発明の床構造における捨て貼り石層の平面図である。
【図４】図１に係る床構造の仕切り壁部分の断面図である。
【図５】図３に係る捨て貼り石層の隅部の平面図である。
【図６】従来公知の床構造に係る石貼り層の断面図である。
【符号の説明】
【００２８】
１０  コンクリートスラブ
１１  防振システムネダ
１３  床空間
１４，１７  防振ゴム台
１５  支持脚
１６  支持板
２０  上部床
２１  パーティクルボード
２２  合板
２３  捨て貼り石層
２４  フローリング
２５  接着剤層
２６  床暖房パネル
２７  石板
２８，２９  捨て貼り合板
３０  壁部材
３１  幅木
３３  間仕切り壁
３５  壁芯材
【図１】
2005113604.tif 000003
【図２】
2005113604.tif 000004
【図３】
2005113604.tif 000005
【図４】
2005113604.tif 000006
【図５】
2005113604.tif 000007
【図６】
2005113604.tif 000008